(57)【要約】  釣合いおもりのウェートの形状を異型にした場合でも、ガイド装置への反力の低減を図ることのできるエレベータ装置の釣合いおもり及びエレベータ装置を提供する。  エレベータ装置の釣合いおもり１００は、一対のたて枠２ａ，２ｂ、一対のたて枠の下端部を連結する下側板２ｃ、たて枠の上端部を連結する上側板２ｄから構成される釣合いおもり枠と、釣合いおもり枠に積載された複数のウェート３と、上側板に取り付けられたプーリ４００と、一対のたて枠のそれぞれの上端部及び下端部に取り付けられガイドレールに摺動接触して釣合いおもりの昇降を案内する複数のガイド装置５ａ〜５ｄとを備え、一対のたて枠の上端が上側板の上面よりも上方に位置し、一対のたて枠の上端または一対のたて枠の上部に給油装置６ａ，６ｂなどの付属装置が取り付けられる場合には付属装置の上端が釣合いおもり高さ制限内に位置するように、一対のたて枠の高さ方向の長さを設定する。
2018096645.tif 000002
【特許請求の範囲】
【請求項１】
乗りかごと、釣合いおもりと、巻上機と、主ロープを備え、前記巻上機により前記主ロープを駆動して前記乗りかごと前記釣合いおもりを相対的に昇降させるエレベータ装置において、
前記釣合いおもりは、
間隔をおいて対向配置された一対のたて枠、前記一対のたて枠の下端部を連結する下側板、および前記たて枠の上端部を連結する上側板から構成される釣合いおもり枠と、
前記釣合いおもり枠に積載された複数のウェートと、
前記上側板に取り付けられ、前記主ロープが巻き掛けられるプーリと、
前記一対のたて枠の対向する面とは反対側で、かつ、前記一対のたて枠のそれぞれの上端部及び下端部に取り付けられ、ガイドレールに摺動接触して前記釣合いおもりの昇降を案内する複数のガイド装置とを備え、
前記一対のたて枠は、前記一対のたて枠の上端が前記上側板の上面よりも上方に位置し、前記一対のたて枠の上端または前記一対のたて枠の上部に付属装置が取り付けられる場合には前記付属装置の上端が釣合いおもり高さ制限内に位置するように、高さ方向の長さを有することを特徴とするエレベータ装置。
【請求項２】
請求項１に記載のエレベータ装置において、
前記プーリは、前記上側板の上面にブラケットを介して取り付けられており、
前記付属装置は、前記ガイド装置と前記ガイドレールの摺動面に潤滑油を供給する給油装置であり、
前記一対のたて枠は、前記上側板の上面から前記一対のたて枠の上端までの長さが、前記給油装置の上端が前記ブラケットの上端と同一レベルになるようにしたときの前記上側板の上面から前記一対のたて枠の上端までの長さの少なくとも５０％の長さを有するように、高さ方向の長さを有することを特徴とするエレベータ装置。
【請求項３】
請求項２に記載のエレベータ装置において、
前記一対のたて枠は、前記上側板の上面から前記一対のたて枠の上端までの長さが、前記給油装置の上端が前記ブラケットの上端と同一レベルになるようにしたときの前記上側板の上面から前記一対のたて枠の上端までの長さの少なくとも９０％の長さを有するように、高さ方向の長さを有することを特徴とするエレベータ装置。
【請求項４】
請求項１から３の何れか一項に記載のエレベータ装置において、
前記ウェートは、上面から見た形状が、幅方向または長さ方向から見て非対称に形成されていることを特徴とするエレベータ装置。
【請求項５】
請求項４に記載のエレベータ装置において、
前記一対のたて枠は、コ字状の断面形状を有し、開口側が互いに向き合い、反開口側がそれぞれ前記ガイドレールに対向するよう配置され、
前記ウェートは、上面から見た形状が、前記たて枠の前記コ字状の部分に嵌合する幅狭の両端部と、前記たて枠の前記コ字状の部分よりも幅広の中央部を有するように形成され、かつ、前記両端部の幅方向の中心線に対して、前記中央部の幅方向の中心線がずれるように形成されていることを特徴とするエレベータ装置。
【請求項６】
請求項４に記載のエレベータ装置において、
前記一対のたて枠は、コ字状の断面形状を有し、開口側が互いに向き合い、反開口側がそれぞれ前記ガイドレールに対向するよう配置され、
前記ウェートは、上面から見た形状が、前記たて枠の前記コ字状の部分に嵌合する幅狭の両端部と、前記たて枠の前記コ字状の部分よりも幅広の中央部を有するように形成され、かつ、前記中央部の一部が前記エレベータ装置の昇降路機器の配置に対応して切り欠き部を有するように形成されていることを特徴とするエレベータ装置。
【請求項７】
エレベータ装置の釣合いおもりであって、
コ字状の断面形状を有し、開口側が互いに向き合い、反開口側がそれぞれ前記釣合いおもりのガイドレールに対向するように配置された一対のたて枠、前記一対のたて枠の下端部を連結する下側板、および前記たて枠の上端部を連結する上側板から構成される釣合いおもり枠と、
前記釣合いおもり枠の前記下側板に積載されるウェートであって、上面から見た形状が、幅方向または長さ方向から見て非対称に形成されたウェートと、
前記上側板の上面にブラケットを介して取り付けられ、主ロープが巻き掛けられるプーリと、
前記一対のたて枠の前記反開口側で、かつ、前記一対のたて枠のそれぞれの上端部及び下端部に取り付けられ、前記ガイドレールに摺動接触して前記釣合いおもりの昇降を案内する複数のガイド装置を備え、
前記一対のたて枠は、前記一対のたて枠の上端が前記上側板の上面よりも上方に位置し、前記一対のたて枠の上端または前記一対のたて枠の上部に付属装置が取り付けられる場合には前記付属装置の上端が釣合いおもり高さ制限内に位置するように、高さ方向の長さを有することを特徴とするエレベータ装置の釣合いおもり。
【発明の詳細な説明】
【技術分野】
【０００１】
本発明は、エレベータ装置の釣合いおもり及びエレベータ装置に関する。
【背景技術】
【０００２】
エレベータ装置は、建屋に形成される昇降路に、主ロープによりつるべ式に懸架される乗りかごおよび釣合いおもりを備える。釣合いおもりは、一般に、両側に配置された一対のたて枠，これらのたて枠の下端部を連結する下側板，およびたて枠の上端部を連結する上側板を有する釣合いおもり枠と、この釣合いおもり枠に積載されるウェートと、上側板に取り付けられ、主ロープが巻き掛けられるプーリと、釣合いおもり枠の四隅付近に配置されるガイド装置とを備えている。  
従来、エレベータ装置の高さ方向の省スペース化を図るため、ウェートの一部を、プーリの下端部より上方に配置したものが開示されている（特許文献１）。
【先行技術文献】
【特許文献】
【０００３】
【特許文献１】特開２００６―２９０４９６号公報
【発明の概要】
【発明が解決しようとする課題】
【０００４】
ところで、エレベータ装置の省スペース化は、機器類の配置や、各機器類自体を小型化すること等により実現するものである。しかし、省スペース化を実現する際に、昇降路機器の配置の関係から、釣合いおもりのウェートの形状を異型にすることが求められることがある。このようにウェートの形状を異型にすると、釣合いおもりの重心が偏芯するため、ガイド装置に比較的大きな反力が作用し、ガイド装置の寿命を早める可能性がある。  
しかしながら、特許文献１に記載のものを含めて、従来、釣合いおもりについては、省スペース化を図ることを目的として構成されており、釣合いおもりの重心の偏芯については特に考慮されていない。【０００５】
本発明の目的は、釣合いおもりのウェートの形状を異型にした場合でも、ガイド装置への反力の低減を図ることのできるエレベータ装置の釣合いおもり及びエレベータ装置を提供することにある。
【課題を解決するための手段】
【０００６】
本発明のエレベータ装置の釣合いおもりは、間隔をおいて対向配置された一対のたて枠、前記一対のたて枠の下端部を連結する下側板、および前記たて枠の上端部を連結する上側板から構成される釣合いおもり枠と、前記釣合いおもり枠に積載された複数のウェートと、前記上側板に取り付けられ、主ロープが巻き掛けられるプーリと、前記一対のたて枠の対向する面とは反対側で、かつ、前記一対のたて枠のそれぞれの上端部及び下端部に取り付けられ、ガイドレールに摺動接触して前記釣合いおもりの昇降を案内する複数のガイド装置とを備え、前記一対のたて枠の上端が前記上側板の上面よりも上方に位置し、前記一対のたて枠の上端または前記一対のたて枠の上部に付属装置が取り付けられる場合には前記付属装置の上端が釣合いおもり高さ制限内に位置するように、前記一対のたて枠の高さ方向の長さを設定したことを特徴とする。
【発明の効果】
【０００７】
本発明によれば、釣合いおもりのウェートの形状を異型にした場合でも、ガイド装置への反力の低減を図ることができる。  
なお、上述した以外の課題、構成および効果は、以下の実施形態の説明により明らかにされる。
【図面の簡単な説明】
【０００８】
【図１】本発明の一実施形態に係るエレベータ装置の釣合いおもりを示す正面図である。
【図２】本発明の一実施形態に係るエレベータ装置の釣合いおもりを示す側面図である。
【図３】図１のＡ−Ａ線に沿う釣合いおもりの断面図である。
【図４】本発明の一実施形態の釣合いおもりが適用されるエレベータ装置の一例を示す模式図である。
【発明を実施するための形態】
【０００９】
以下、本発明のエレベータ装置の釣合いおもり及びエレベータ装置を実施するための形態について、図１乃至図４を参照して説明する。なお、各図において同一または類似の構成には同じ符号を付して繰り返しの説明は省略する。
【００１０】
エレベータ装置は、例えば、図４に示すように、乗りかご２００、巻上機３００、主ロープ５００、釣合いおもり１００を主な構成要素として構成されている。乗りかご２００の下部にはかご下プーリ６０１，６０２が設けられている。巻上機３００は昇降路の底部に設置されている。昇降路の頂部付近には固定板７００が設けられ、主ロープ５００の端部９０１，９０２が連結されている。また、固定板７００には、転向プーリ８０１，８０２が取り付けられている。釣合いおもり１００にはおもり上プーリ４００が取り付けられている。主ロープ５００は、一方の端部９０１が固定板７００に連結され、巻上機３００のシーブ、転向プーリ８０１、かご下プーリ６０１，６０２、転向プーリ８０２、おもり上プーリ４００が順に巻き掛けられて、他方の端部９０２が固定板に連結されている。巻上機３００により主ロープ５００を駆動すると、乗りかごガイドレール（図示省略）に沿って乗かご２００が昇降すると共に、この乗かご２００の昇降に相対して釣合いおもり１００が釣合いおもりガイドレール（図示省略）に沿って昇降する。なお、エレベータ装置の構成は、これに限定されるものではない。
【００１１】
次に、図１〜図３を用いて、本発明の一実施形態に係るエレベータ装置の釣合いおもり１００の詳細構造を説明する。図１はエレベータ装置の釣合いおもりの正面図、図２はエレベータ装置の釣合いおもりの側面図、図３は図１のＡ−Ａ線に沿う釣合いおもりの断面図をそれぞれ示す。
【００１２】
釣合いおもり１は、釣合いおもり枠２と、ウェート３と、おもり上プーリ４００と、ガイド装置５ａ，５ｂ，５ｃ，５ｄと、給油装置６ａ，６ｂとを備えている。
【００１３】
釣合いおもり枠２は、間隔をおいて対向配置された（図１の左右両側に配置された）一対のたて枠２ａ，２ｂ、たて枠２ａ，２ｂの下端部を連結する下側板２ｃ、およびたて枠２ａ，２ｂの上端部を連結する上側板２ｄから構成されている。
【００１４】
たて枠２ａ，２ｂは、図３に示すように、それぞれコ字状の断面形状を有しており、開口側が互いに向き合うように配置され、反開口側がそれぞれガイドレール７ａ，７ｂに対向するようになっている。
【００１５】
下側板２ｃは、その両端がボルトによりたて枠２ａ，２ｂの下部に固定され、複数積載されるウェート３の荷重を受けるようになっている。また、最上位置に配置されるウェート３がウェート押さえ１０ａ，１０ｂにより下方向に押圧されることで、ウェート３全体として下側板２ｃに押し付けられ、ガタつきが生じないようになっている。また、下側板２ｃの下部には、昇降路の底部に設置されている緩衝装置（図示省略）によって受け止められる受け部１２が取り付けられている。
【００１６】
上側板２ｄは、その両端がボルトによりたて枠２ａ，２ｂの上部に固定され、その上面には、ブラケット８を介しておもり上プーリ４００が回転可能に取り付けられている。
【００１７】
おもり上プーリ４００には主ロープ（図示省略）が巻き掛けられ、釣合いおもり１００は、おもり上プーリ４００を介して主ロープにより懸架される。本実施形態では、おもり上プーリ４００は上側板２ｄ上に載置されている。すなわち、おもり上プーリ４００の下端は最上位置に配置されるウェート３の上面よりも上方に位置している。おもり上プーリ４００は上側板２ｄ上に載置されているので、おもり上プーリ４００のメンテナンスが容易となる。
【００１８】
ガイド装置５ａ，５ｂ，５ｃ，５ｄは、釣合いおもり枠２の四隅付近に配置されている。すなわち、ガイド装置５ａがたて枠２ａの上端部、ガイド装置５ｂがたて枠２ａの下端部、ガイド装置５ｃがたて枠２ｂの上端部、ガイド装置５ｄがたて枠２ｂの下端部のそれぞれにおける反開口側に取り付けられ、ガイド装置５ａ，５ｂはガイドレール７ａに、ガイド装置５ｃ，５ｄはガイドレール７ｂにそれぞれ摺動接触して釣合いおもり１の昇降を案内する。
【００１９】
給油装置６ａ，６ｂは、たて枠２ａ，２ｂの上部、すなわち、ガイド装置５ａ，５ｃに近接する位置に取り付けられている。本実施形態では、給油装置６ａ，６ｂは、たて枠２ａ，２ｂの上部にそれぞれ取り付けられた逆L字形の取り付け部材１１ａ，１１ｂに取り付けられている。給油装置６ａ，６ｂのそれぞれは、潤滑油を貯蔵するタンクを有しており、それらのタンクから潤滑油をゆっくり供給する構造を有する。そして、給油装置６ａ，６ｂは、それぞれガイドレール７ａ，７ｂに潤滑油を塗布し、ガイド装置５ａ，５ｂ，５ｃ，５ｄとガイドレール７ａ，７ｂとの間に潤滑油を供給する。
【００２０】
下側板２ｃに複数積載されるウェート３は、本実施形態では、図３に示すように、その形状が異型となっている。すなわち、上面（水平面）から見たウェート形状が異型となっている。ここでウェート形状が異型とは、本実施形態では、非対称形状を意味する。また、言い換えれば、ウェート形状が異型とは、上面から見たウェートの重心位置が、上面から見たたて枠２ａ，２ｂで形成される領域の重心位置からずれていることであるとも言える。
【００２１】
本実施形態では、ウェート３は、釣合いおもり枠のたて枠のスリム化や効率的な空間利用を図るために、その両端が、コ字状の断面形状を有するたて枠２ａ，２ｂに嵌合可能なように幅狭となっているとともに、その中央部は、たて枠の幅寸法より幅広となっている。エレベータ装置の省スペース化を図っていくと、このウェートを異型にすることが求められる。例えば、エレベータ装置の省スペース化を図っていくと、ガイドレール７ａ，７ｂを壁側（図３の上側）に寄って設置せざるを得ない。このため、ウェート３は、両端を中央部に対してずれるように配置せざるを得ない。したがって、ウェート３は、幅広の中央部が乗りかご側（図３の下側）に寄って位置するように形成されることになり、中央部が幅方向から見て非対称（図３の図面上、上下非対称）の形状となっている。言い換えれば、ウェート３の中心線（図３の二点鎖線。線上に重心が位置。）が、たて枠２ａ，２ｂで形成される領域の中心線（図３の一点鎖線。ガイドレール７ａ，７ｂを結ぶ線と一致し線上に重心が位置。）からずれることになる。
【００２２】
また、昇降路機器９の配置の関係（ロープエンドの位置との関係や調速機上置きの場合の調速機の位置との関係など）で、図３に示すように、上面からみたウェート３の一部を切欠いてウェート３を形成する場合がある。この場合にもウェート３が長さ方向から見て非対称形状（図３の図面上、左右非対称の形状）になる。図３に示すように、上下，左右に非対称にウェート３が形成されると、釣合いおもりの重心の偏芯による影響が大きくなり、ガイド装置により大きな反力が作用する可能性がある。
【００２３】
そして、本実施形態のエレベータ装置では、異型のウェート３を用いたものにあって、ガイド装置５ａ〜５ｄへの反力の低減を図るために工夫が施されている。具体的には、たて枠２ａ，２ｂを、釣合いおもり高さ制限内で延長寸法Ｈ１、延長し、上端部側のガイド装置５ａ，５ｃと下端部側のガイド装置５ｂ，５ｄとの間隔寸法Ｈ２を大きく設定している。釣合いおもり高さ制限内とは、エレベータ装置の仕様としてあらかじめ定められる釣合いおもり１００のオーバーヘッド寸法以内ということである。
【００２４】
以下に、たて枠を釣合いおもり高さ制限内で延長寸法Ｈ１延長することの意義を説明する。
【００２５】
釣合いおもり枠２は、工場からエレベータ装置の据え付け場所へ組立体として搬送されるので、たて枠２ａ，２ｂの上端が上側板２ｄの上面から突出しないように、本来的にはたて枠２ａ，２ｂの高さを上側板２ｄの上面の高さと略同じにするのが望ましい。本実施形態では、異型のウェート３に起因するガイド装置５ａ〜５ｄへの反力を低減するという新たな着眼点から、上端部側のガイド装置５ａ，５ｃと下端部側のガイド装置５ｂ，５ｄとの間隔寸法Ｈ２を大きく設定するため、たて枠２ａ，２ｂを上方へ敢えて延長するものである。
【００２６】
本実施形態では、上側板２ｄの上面におもり上プーリ４００を設置している。このようなエレベータ装置では、エレベータ装置の仕様としてあらかじめ定められる釣合いおもり１００のオーバーヘッド寸法H０は、たて枠２ａ，２ｂ下端から、おもり上プーリ４００を固定するブラケット８の上端までの高さ寸法となる。たて枠の上端（たて枠の上部に給油装置などの付属装置が取り付けられる場合には付属装置の上端）の位置がオーバーヘッド寸法H０の範囲内に納まる限りにおいて、たて枠２ａ，２ｂを上側板２ｄの上面を超えて上方に延長することが許容される。本実施形態では、たて枠２ａ，２ｂの上部に給油装置６ａ，６ｂが取り付けられているので、たて枠２ａ，２ｂ下端から給油装置６ａ，６ｂの上端までの高さ寸法が、オーヘッド寸法を超えない範囲で、たて枠２ａ，２ｂを上側板２ｄの上面を超えて上方に延長するようにしている。言い換えれば、本実施形態では、たて方向の既存スペースを有効利用して、たて枠２ａ，２ｂを延長したものである。
【００２７】
ガイド装置が受ける反力は、ウェート３の重心の偏心度合に応じて異なる。重心の偏心度合が大きければ、たて枠２ａ，２ｂを最大限延長するのが望ましい。すなわち、図１に示すように、たて枠２ａ，２ｂの上部に取り付けられる給油装置６ａ，６ｂの上端が、おもり上プーリ４００を固定するブラケット８の上端と略同一レベル（釣合いおもり高さ制限付近）となるように、たて枠２ａ，２ｂを上方に延長寸法H１だけ延長する（ただし、給油装置６ａ，６ｂの上端が釣合いおもり高さ制限、すなわち、オーバーヘッド寸法以内）。ここで、釣合いおもり高さ制限付近とは、本実施形態では、給油装置６ａ，６ｂの上端がブラケット８の上端と同一レベルになるときを１００％延長とした場合、少なくとも９０％延長した場合を意味する。また、ガイド装置が受ける反力の低減効果を十分に得るには、たて枠２ａ，２ｂは、給油装置６ａ，６ｂの上端がブラケット８の上端と同一レベルになるときを１００％延長とした場合、５０％程度延長するのが望ましい。
【００２８】
本実施形態にあっては、昇降路機器９などの配置の関係から、釣合いおもり１００のウェート３の形状が異型となっている。このようなウェート３を積載した釣合いおもり１００を実際に昇降させると、釣合いおもり１００の重心が偏芯していることから、釣合いおもり１００の四隅付近に配置されるガイド装置５ａ〜５ｃには比較的大きな反力が作用する。しかしながら、本実施形態のたて枠２ａ，２ｂは、上側板２ｄから上方に向かって延長寸法Ｈ１、延長されており、上端部側のガイド装置５ａ，５ｃと下端部側のガイド装置５ｂ，５ｄとの間隔寸法Ｈ２が大きく設定されている。このことから、ガイド装置５ａ〜５ｃに作用する反力を低減することができ、これによって、ガイド装置５ａ〜５ｄの延命化を図ることができる。
【００２９】
また、本実施形態では、たて枠２ａ，２ｂを、釣合いおもり高さ制限内で延長するものであるが、たて方向の既存スペースを有効利用してたて枠２ａ，２ｂを延長したものであり、釣合いおもり１００の全高さ寸法の変更を要することがない。このことから、他の機器や設置条件へ影響を及ぼすことなく、ガイド装置５ａ〜５ｄへの反力の低減を図ることができる。
【００３０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【符号の説明】
【００３１】
２・・・釣合いおもり枠、２ａ，２ｂ・・・たて枠、２ｃ・・・下側板、２ｄ・・・上側板、３・・・ウェート、５ａ〜５ｄ・・・ガイド装置、６ａ，６ｂ・・・給油装置、７ａ，７ｂ・・・ガイドレール（釣合いおもりガイドレール）、８・・・ブラケット、９・・・昇降路機器、１０ａ，１０ｂ・・・ウェート押さえ、１１ａ，１１ｂ・・・取り付け部材、１２・・・受け部、１００・・釣合いおもり、２００・・・乗りかご、３００・・・巻上機、４００・・・おもり上プーリ、５００・・・主ロープ。
【図１】
2018096645.tif 000003
【図２】
2018096645.tif 000004
【図３】
2018096645.tif 000005
【図４】
2018096645.tif 000006
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
乗りかごと、釣合いおもりと、巻上機と、主ロープを備え、前記巻上機により前記主ロープを駆動して前記乗りかごと前記釣合いおもりを相対的に昇降させるエレベータ装置において、
前記釣合いおもりは、
間隔をおいて対向配置された一対のたて枠、前記一対のたて枠の下端部を連結する下側板、および前記たて枠の上端部を連結する上側板から構成される釣合いおもり枠と、
前記釣合いおもり枠に積載された複数のウェートと、
前記上側板に取り付けられ、前記主ロープが巻き掛けられるプーリと、
前記一対のたて枠の対向する面とは反対側で、かつ、前記一対のたて枠のそれぞれの上端部及び下端部に取り付けられ、ガイドレールに摺動接触して前記釣合いおもりの昇降を案内する複数のガイド装置とを備え、
前記一対のたて枠は、前記一対のたて枠の上端が前記上側板の上面よりも上方に位置し、前記一対のたて枠の上端または前記一対のたて枠の上部に付属装置が取り付けられる場合には前記付属装置の上端が釣合いおもり高さ制限内に位置するように、高さ方向の長さを有し、
前記プーリは、前記上側板の上面にブラケットを介して取り付けられており、
前記付属装置は、前記ガイド装置と前記ガイドレールの摺動面に潤滑油を供給する給油装置であり、
前記一対のたて枠は、前記上側板の上面から前記一対のたて枠の上端までの長さが、前記給油装置の上端が前記ブラケットの上端と同一レベルになるようにしたときの前記上側板の上面から前記一対のたて枠の上端までの長さの少なくとも５０％の長さを有するように、高さ方向の長さを有することを特徴とするエレベータ装置。
【請求項２】
請求項１に記載のエレベータ装置において、
前記一対のたて枠は、前記上側板の上面から前記一対のたて枠の上端までの長さが、前記給油装置の上端が前記ブラケットの上端と同一レベルになるようにしたときの前記上側板の上面から前記一対のたて枠の上端までの長さの少なくとも９０％の長さを有するように、高さ方向の長さを有することを特徴とするエレベータ装置。
【請求項３】
請求項１または２に記載のエレベータ装置において、
前記ウェートは、上面から見た形状が、幅方向または長さ方向から見て非対称に形成されていることを特徴とするエレベータ装置。
【請求項４】
請求項３に記載のエレベータ装置において、
前記一対のたて枠は、コ字状の断面形状を有し、開口側が互いに向き合い、反開口側がそれぞれ前記ガイドレールに対向するよう配置され、
前記ウェートは、上面から見た形状が、前記たて枠の前記コ字状の部分に嵌合する幅狭の両端部と、前記たて枠の前記コ字状の部分よりも幅広の中央部を有するように形成され、かつ、前記両端部の幅方向の中心線に対して、前記中央部の幅方向の中心線がずれるように形成されていることを特徴とするエレベータ装置。
【請求項５】
請求項３に記載のエレベータ装置において、
前記一対のたて枠は、コ字状の断面形状を有し、開口側が互いに向き合い、反開口側がそれぞれ前記ガイドレールに対向するよう配置され、
前記ウェートは、上面から見た形状が、前記たて枠の前記コ字状の部分に嵌合する幅狭の両端部と、前記たて枠の前記コ字状の部分よりも幅広の中央部を有するように形成され、かつ、前記中央部の一部が前記エレベータ装置の昇降路機器の配置に対応して切り欠き部を有するように形成されていることを特徴とするエレベータ装置。
【請求項６】
エレベータ装置の釣合いおもりであって、
コ字状の断面形状を有し、開口側が互いに向き合い、反開口側がそれぞれ前記釣合いおもりのガイドレールに対向するように配置された一対のたて枠、前記一対のたて枠の下端部を連結する下側板、および前記たて枠の上端部を連結する上側板から構成される釣合いおもり枠と、
前記釣合いおもり枠の前記下側板に積載されるウェートであって、上面から見た形状が、幅方向または長さ方向から見て非対称に形成されたウェートと、
前記上側板の上面にブラケットを介して取り付けられ、主ロープが巻き掛けられるプーリと、
前記一対のたて枠の前記反開口側で、かつ、前記一対のたて枠のそれぞれの上端部及び下端部に取り付けられ、前記ガイドレールに摺動接触して前記釣合いおもりの昇降を案内する複数のガイド装置を備え、
前記一対のたて枠は、前記一対のたて枠の上端が前記上側板の上面よりも上方に位置し、前記一対のたて枠の上端または前記一対のたて枠の上部に付属装置が取り付けられる場合には前記付属装置の上端が釣合いおもり高さ制限内に位置するように、高さ方向の長さを有し、
前記プーリは、前記上側板の上面にブラケットを介して取り付けられており、
前記付属装置は、前記ガイド装置と前記ガイドレールの摺動面に潤滑油を供給する給油装置であり、
前記一対のたて枠は、前記上側板の上面から前記一対のたて枠の上端までの長さが、前記給油装置の上端が前記ブラケットの上端と同一レベルになるようにしたときの前記上側板の上面から前記一対のたて枠の上端までの長さの少なくとも５０％の長さを有するように、高さ方向の長さを有することを特徴とするエレベータ装置の釣合いおもり。
【国際調査報告】
2018096645.tif 000007
2018096645.tif 000008
2018096645.tif 000009
2018096645.tif 000010